(57)【要約】【課題】顔面とくに頬のあたりの肌を捏ねるようにしてマッサージすることにより美肌効果を期待できる電動式美顔器を提供する。【解決手段】把持部を備えるケーシングと、ケーシングに内蔵された回転モータと、回転モータの作動を制御するスイッチと、回転モータの駆動軸に接続されるとともに円盤状の表面部を備える回転ヘッドと、回転ヘッドの表面部であって回転ヘッドの回転中心軸線から径方向に変位した位置に配置された所要数のチップとを有する。スイッチの切替え操作で回転モータが正逆両方向に回転することにより回転ヘッドも正逆両方向に回転可能とされ、かつ回転ヘッドは秒速５回転以下の低速で回転する。【選択図】図２
0003155121.tif 000002
【実用新案登録請求の範囲】
【請求項１】
把持部を備えるケーシングと、前記ケーシングに内蔵された回転モータと、前記回転モータの作動を制御するスイッチと、前記回転モータの駆動軸に接続されるとともに円盤状の表面部を備える回転ヘッドと、前記回転ヘッドの表面部であって前記回転ヘッドの回転中心軸線から径方向に変位した位置に配置された所要数のチップとを有し、
前記スイッチの切替え操作で前記回転モータが正逆両方向に回転することにより前記回転ヘッドも正逆両方向に回転可能とされ、かつ前記回転ヘッドは秒速５回転以下の低速で回転することを特徴とする電動式美顔器。
【請求項２】
請求項１記載の電動式美顔器において、
前記回転ヘッドの裏面側に設けられた赤色ＬＥＤの赤色発光が前記回転ヘッドを透過可能とされていることを特徴とする電動式美顔器。
【考案の詳細な説明】
【技術分野】
【０００１】
本考案は、美顔形成技術に係る電動式美顔器に関する。
【背景技術】
【０００２】
下記特許文献１に示されるように、従来の美顔器としては、円筒ローラ状のヘッドを顔面に沿って回転走行させるタイプのものが主流となっているが、これはローラ状のヘッドを肌に押し付けることにより肌に刺激を与えようとするものであって、肌を捏ねるようにしてマッサージすると云うことについては、あまり効果がない。
【０００３】
また近年、ゲルマニウムが温度３２度以上になると遠赤外線を発し、この遠赤外線が美肌に効果があることが謳われている。また、赤色ＬＥＤが発する赤色発光が美肌に効果があることも謳われている。
【先行技術文献】
【特許文献】
【０００４】
【特許文献１】第３０５７２２９号登録実用新案公報
【考案の概要】
【考案が解決しようとする課題】
【０００５】
本考案は以上の点に鑑みて、顔面、とくに頬のあたりの肌を捏ねるようにしてマッサージすることにより美肌効果を期待することができる電動式美顔器を提供することを目的とする。またこれに加えて、赤色ＬＥＤの赤色発光を照射することにより美肌効果を期待することができる電動式美顔器を提供することを目的とする。
【課題を解決するための手段】
【０００６】
上記目的を達成するため、本考案の請求項１による電動式美顔器は、把持部を備えるケーシングと、前記ケーシングに内蔵された回転モータと、前記回転モータの作動を制御するスイッチと、前記回転モータの駆動軸に接続されるとともに円盤状の表面部を備える回転ヘッドと、前記回転ヘッドの表面部であって前記回転ヘッドの回転中心軸線から径方向に変位した位置に配置された所要数のチップとを有し、前記スイッチの切替え操作で前記回転モータが正逆両方向に回転することにより前記回転ヘッドも正逆両方向に回転可能とされ、かつ前記回転ヘッドは秒速５回転以下の低速で回転することを特徴とする。
【０００７】
また、本考案の請求項２による電動式美顔器は、上記した請求項１記載の電動式美顔器において、前記回転ヘッドの裏面側に設けられた赤色ＬＥＤの赤色発光が前記回転ヘッドを透過可能とされていることを特徴とする。
【０００８】
上記構成を有する本考案の美顔器は、ケーシングの把持部を片手で持って使用するもので、スイッチをＯＮすると、電動の回転モータが駆動し、その駆動軸に接続された回転ヘッドが回転する。回転ヘッドは円盤状の表面部を備えているので、この表面部が肌に押し当てられる。表面部は原則として回転ヘッドの回転中心軸線に対し直交する平面よりなり、或いはレンズ状の球面よりなるので、肌に対して線状ではなく面状に押し当てられる。また表面部には、回転ヘッドの回転中心軸線から径方向に変位した位置に所要数のチップが配置されているので、このチップが肌に押し当てられた状態で回転する。チップの材質としては上記遠赤外線を発するゲルマニウムが最も好適であるが、これに限られることなく、チタン、金、銀、銅、プラチナ、トルマリン、マグネシュウムまたはその他の鉱物や金属などであっても良い。またチップとしては、イオン発生器や突起物などであっても良い。チップは原則として表面部から多少突出しているので、その突起状形態による押し付け・刺激効果もある。
【０００９】
顔面の頬のあたりを手当てする場合、当該美顔器は回転ヘッドを口元から耳手前のリンパ腺の部位にかけて移動させるのが有効であり、このとき肌に押し当てられた状態の回転ヘッドの回転方向を進行方向の後方側で上向きとすると、表面部もしくはチップが重力に抗して肌を持ち上げるようにマッサージすることから、美肌効果が大きい。
【００１０】
但し、この場合、顔面右側の頬を手当てする場合と顔面左側の頬を手当てする場合とでは、回転ヘッドの回転方向を正逆反対向きにする必要がある。そこで本考案では、スイッチの切替え操作で回転モータが正逆両方向に回転することによって回転ヘッドも正逆両方向に回転可能とされ、これにより顔面右側の頬を手当てする場合も顔面左側の頬を手当てする場合も左右対称的に美顔器が作動するよう工夫されている。回転ヘッドは秒速５回転以下の低速で回転するので、肌がゆっくりと捏ねられので、美肌効果が頗る大きなものとなる。
【００１１】
また、請求項２に係る美顔器では、回転ヘッドの裏面側に赤色ＬＥＤが設けられ、その赤色発光が回転ヘッドを透過可能とされているため、回転ヘッドが肌に押し当てられると、赤色発光が肌に照射される。したがって上記に加えてこの赤色発光が作用するため、美肌効果が一層大きなものとなる。
【考案の効果】
【００１２】
以上説明したように本考案によれば、顔面、とくに頬のあたりの肌を捏ねるようにしてマッサージすること、更には赤色ＬＥＤの赤色発光を照射することによって、大きな美肌効果を期待することができる。
【図面の簡単な説明】
【００１３】
【図１】本考案の実施例に係る電動式美顔器の正面図
【図２】同美顔器の内部構造説明図
【図３】同美顔器の使用方法説明図
【考案を実施するための形態】
【００１４】
つぎに本考案の実施例を図面にしたがって説明する。
【００１５】
図１および図２に示すように、当該実施例に係る電動式美顔器は、これを使用者が片手で持つことができるように適度な大きさの把持部２を備えるケーシング１を有し、このケーシング１の内部に電動式の回転モータ３が組み付けられるとともに、電源として乾電池（例えば単三乾電池（１．５Ｖ）２本）５を収納する電池収容部４が設けられ、スイッチ６が設けられ、これらを結ぶ電気配線（図示せず）が施されている。スイッチ６の配置や構造は特に限定されないが、例えばスライド式のスイッチとされ、中央のニュートラル位置で回転モータ３は停止しており、左右一方へスライドさせると回転モータ３が正回転し、左右他方へスライドさせると回転モータ３が逆方向へ回転する。
【００１６】
回転モータ３の駆動軸３ａの先端に円盤状の回転ヘッド７が接続され、回転ヘッド７に同じく円盤状の表面部７ａが設けられ、この回転ヘッド７の表面部７ａであって回転ヘッド７の回転中心軸線から径方向に変位した位置にゲルマニウムチップ８が所要数（図では５つ）等配状に表面部７ａから或る程度突出した状態で取り付けられている。ゲルマニウムチップ８としては純度９９．９９９％以上のものが用いられる。回転ヘッド７はケーシング１の上端から突出した位置で斜め上方へ向けて配置され、図示した状態で略２５度の仰角が設定されている。
【００１７】
回転ヘッド７は１秒間に５回転以下（例えば１秒間に約２回転）の低速で回転するものとされ、回転ヘッド７は回転モータ３と同軸上に配置されて駆動軸３ａに直接接続されているので、回転モータ３自体も１秒間に５回転以下（例えば定格回転数１１５回／分（１秒間に約２回転））の低速で回転するものとされている。回転モータ３として高速のものを用いる場合は減速装置を介装するが、図示する構造のほうが簡便でコンパクトである。
【００１８】
尚、回転モータ３および回転ヘッド７は、これらを保持するホルダー９を介してケーシング１の開口部に組み付けられている。ホルダー９とケーシング１は球面軸受構造１０によって或る程度の相対変位が可能とされ、その範囲内で回転ヘッド７は首振り運動可能とされている。
【００１９】
また、ホルダー９の内側であって回転ヘッド７の裏面側に空間部１１が設けられ、ここに赤色ＬＥＤ１２が所要数（例えば２つ）配置されてホルダー９に固定されている。
【００２０】
赤色ＬＥＤ１２はその赤色発光が回転ヘッド７を透過可能とされ、このため回転ヘッド７は例えば半透明プラスチックによって成形されている。赤色ＬＥＤ１２の電源としては上記乾電池５が共用され、その点灯消灯については上記スイッチ６が共用され、スイッチ６がモータ停止位置にあるときに赤色ＬＥＤ１２は消灯しており、スイッチ６を正逆いずれかのモータ回転位置へ移動させると赤色ＬＥＤ１２が点灯する。したがって回転ヘッド７の回転停止と赤色ＬＥＤ１２の点灯消灯は完全に同期することになる。
【００２１】
上記構成を有する美顔器は、ケーシング１の把持部２を片手で持って使用するもので、スイッチ６をＯＮにすると回転モータ３が駆動し、同時に回転ヘッド７が回転する。回転ヘッド７は円盤状の表面部７ａが肌に押し当てられ、また表面部７ａに配置された所要数のゲルマニウムチップ８が肌に押し当てられた状態で回転し、このとき照射される遠赤外線によって美肌効果が発揮される。ゲルマニウムチップ８は表面部７ａから多少突出しているので、その突起状形態による押し付け・刺激効果もある。
【００２２】
顔面の頬のあたりを手当てする場合、上記美顔器は、図３に点線矢印Ａ１およびＡ２で示すように、回転ヘッド７を口元から耳手前（耳元）のリンパ腺の部位にかけて移動させるのが有効であり、このとき、実線矢印Ｂ１およびＢ２で示すように、肌に押し当てられた状態の回転ヘッド７の回転方向を進行方向の後方側で上向きとすると、表面部７ａもしくはゲルマニウムチップ８が重力に抗して肌を持ち上げるようにマッサージすることから、美肌効果が発揮される。このため左右の頬を手当てするときにスイッチ６を操作して回転モータ３および回転ヘッド７の回転方向を切り替えることにし、具体的には、図で左側の頬を手当てする場合は、回転ヘッド７の回転方向を正回転方向Ｂ１とし、反対に図で右側の頬を手当てする場合には、回転ヘッド７の回転方向を逆回転方向Ｂ２とし、このようにすれば左右両側とも表面部７ａもしくはゲルマニウムチップ８が重力に抗して肌を持ち上げるようにマッサージすることから、美肌効果が発揮される。
【００２３】
また、上記構成の美顔器では、回転ヘッド７の裏面側に赤色ＬＥＤ１２が設けられ、その赤色発光が回転ヘッド７を透過可能とされているため、回転ヘッド７が肌に押し当てられると、赤色発光が肌に照射される。したがって上記に加えてこの赤色発光が作用するため、一層大きな美肌効果が発揮される。
【００２４】
尚、回転モータ３の出力トルクを小さめに設定して回転ヘッド７が肌に強く押し当てられたときに回転モータ３が自動で停止するようにすると、操作上安全であり、かつ肌に負担をかけずに済むことになる。
【００２５】
また、スイッチ６としては、以下のようなものも考えられる。すなわち上記スライド式のスイッチに代えて、ボタン１つのみよりなるプッシュ式のスイッチとする。そして最初にスイッチ６を押すと回転モータ３が右回転して、右の頬用になる。回転モータ３は３分後に自動的に停止する。自動停止後にスイッチ６を押すと左回転して、左の頬用になる。回転中にスイッチ６を押すと停止し、次にスイッチ６を押すと反対の回転になる。リセットの機能も付いており、右回転自動停止後または回転中にスイッチ６を押して停止させた後、５分間放置するとリセットされる。次にスイッチ６を押すと、最初の右の頬用から始まる。またスイッチ６に近接して、右回転または左回転を表示する回転方向表示ランプを併設することも考えられる。
【符号の説明】
【００２６】
１  ケーシング
２  把持部
３  回転モータ
３ａ  駆動軸
４  電池収容部
５  乾電池
６  スイッチ
７  回転ヘッド
７ａ  表面部
８  ゲルマニウムチップ
９  ホルダー
１０  球面軸受構造
１１  空間部
１２  赤色ＬＥＤ
【図１】
0003155121.tif 000003
【図２】
0003155121.tif 000004
【図３】
0003155121.tif 000005